Podtech/llm-jp-corpus-v4-ja_patent huggingface dataset:
(57)【要約】【課題】従来の円錐型コーヒードリッパーでは、抽出する人の技術がコーヒー液の出来上がりに影響しやすく、素直な飲み易さはあるが、味に深みが欠けている。この発明で技術がなくとも、えぐみ、雑味がなく、深みのあるコーヒーを抽出することを可能にした。【解決手段】円錐の壁面に複数の段差を設ける。角度を通常のドリッパーより急にする。【選択図】図１
2007190039.tif 000002
【特許請求の範囲】
【請求項１】
円錐の壁面に複数の段差があるドリッパー。
【発明の詳細な説明】
【技術分野】
【０００１】
本発明は、円錐型コーヒードリッパーを使用したコーヒーの抽出を、 素人でも、簡
単に、より美味しく入れられるドリッパー器具に関するものである。
【背景技術】
【０００２】
従来、円錐型コーヒードリッパーを使用して、コーヒーを抽出する方法は広く行われ
ている。（特許文献１参照）。
【特許文献１】実公昭５８ー１１３１２号公報
【発明の開示】
【発明が解決しようとする課題】
【０００３】
従来の円錐型コーヒードリッパーを使用して、コーヒーを抽出する際、次のよ
うな問題点があった。
抽出する人の技術がコーヒー液の出来上がりに影響しやすい。
素直な飲み易さはあるが、味に深みが欠ける。
本発明は、以上の問題点を解決し、技術がなくとも、えぐみ、雑味がなく、深
みのあるコーヒーを抽出することを可能にした。
【課題を解決するための手段】
【０００４】
円錐の壁面に複数の段差を設ける。角度を通常のドリッパーより急にする。
本発明は、以上の構成よりなる、技術がなくとも、えぐみ、雑味がなく、深みの
あるコーヒーを抽出することができるコーヒードリッパーである。
【発明の効果】
【０００５】
角度を従来の円錐型コーヒードリッパーより急にすることにより、熱湯とコーヒー
粉一粒一粒の接する時間を減らし、総面積を増やした。角度が急になった分、壁面を
つたうコーヒー液の流れも急になるところだが、円錐壁面に複数の段差があることで、
緩やかに流れ、かつ独特の溜が出来る。その溜が、コーヒーの深みに繋がり、抽出ス
ピードを調節するので、技術がなくとも簡単に、えぐみ、雑味がなく、深みのあるコー
ヒーを抽出することができる。
【発明を実施するための最良の形態】
【０００６】
以下、本発明の実施の形態を説明する。
上部面（１）と下部面（２）がない磁器やガラスからなる、尖った方を下部とする円
錐型の内側（３）に、複数の段差（４）をもうける。
本発明を使用する場合は、円錐型の内側に扇型の濾紙を広げ入れ、その中にコーヒー
粉を入れ、熱湯を注ぎ入れる。熱湯がコーヒー粉を通り濾紙に濾されて下部穴（５）
からコーヒー液となり出てくる。
【図面の簡単な説明】
【０００７】
【図１】本発明の断面図
【図２】本発明の上からの立面図
【符号の説明】
【０００８】
（１）上部面、（２）下部面、（３） 内側、（４）複数の段差、（５）下部穴
【図１】
2007190039.tif 000003
【図２】
2007190039.tif 000004
(57)【要約】【課題】本願発明は、壁面に設置し、土壌の保全ができると共に雨水を無駄なく利用する壁面緑化用プランターの提案にある。【解決手段】本発明は、壁面に懸架するための懸架具を有する緑化用のプランターであって、プランター部は壁面側に平行に２分され、壁面側は壁面を伝い落ちる雨水貯留部となり、他方は土壌を充填し植物を育成する育成部とされ、雨水貯留部と育成部間を毛管現象資材にて連絡させた壁面緑化用プランターである。壁面を伝わる雨水を貯留し、貯留した雨水を土壌に供給するため毛管現象資材、例えば繊維質で雨水貯留部と育成部を連絡した。【選択図】図1
2007190012.tif 000002
【特許請求の範囲】
【請求項１】
壁面に懸架するための懸架具を有する緑化用のプランターであって、プランター部は壁面側に平行に２分され、壁面側は壁面を伝い落ちる雨水貯留部となり、他方は土壌を充填し植物を育成する育成部とされ、雨水貯留部と育成部間を毛管現象資材にて連絡させたことを特徴とする壁面緑化用プランター。
【発明の詳細な説明】
【技術分野】
【０００１】
本発明は、壁面特に建物の壁面を緑化するための壁面緑化技術に属する。
【背景技術】
【０００２】
壁面を緑化した壁面緑化物は、フェンスに絡ませたつた類などが知られている。特許公開2002-327440、特許公開2002-330631には、図３に示したように、植物を根付かせた人工の緑化盤を壁に垂直に懸架したもの、垂直に懸架した繊維マットに植物を育成させあるいは植物の茎や枝を格子に結束したものが開示されている。その他、棚に並べた植木箱等あるいは多孔質の壁にこけ、シダ類を育成したものが知られている。
【０００３】
これら壁面緑化物は、特に垂直に懸架した繊維マットや多孔質の壁では、植生が生育するだけの充分な土壌が供給できないため、また土壌の保全が困難なため利用できる植物が制限される等の問題点がある。また風の影響をまともに受けるため、樹木など育てることが困難であった。
【０００４】
【特許文献１】特許公開2002-327440
【特許文献２】特許公開2002-330631
【発明の開示】
【発明が解決しようとする課題】
【０００５】
本願発明は、壁面に設置し、土壌の保全ができると共に雨水を無駄なく利用する壁面緑化用プランターの提案にある。
【課題を解決するための手段】
【０００６】
本発明は、壁面に懸架するための懸架具を有する緑化用のプランターであって、プランター部は壁面側に平行に２分され、壁面側は壁面を伝い落ちる雨水貯留部となり、他方は土壌を充填し植物を育成する育成部とされ、雨水貯留部と育成部間を繊維質にて連絡させた壁面緑化用プランターである。壁面を伝わる雨水を貯留し、貯留した雨水を土壌に供給するため毛管現象資材、例えば繊維質で雨水貯留部と育成部を連絡した。
【発明の効果】
【０００７】
壁面側に雨水貯留部を設けたため壁面を伝い流下する雨水を捕らえ貯留できる。雨水貯留部と育成部を毛管現象資材で連絡したため雨水貯留部の雨水を育成部に毛管現象を利用して供給できる。
【発明を実施するための最良の形態】
【０００８】
以下本発明を図によって、より詳細に説明する。
図１は、本発明の壁面緑化用プランターの概念図である。図に示すように、本壁面緑化用プランターは壁面に平行に２分され、壁面側は壁面を伝い流下する雨水を貯留するための雨水貯留部となり、他方は土壌を充填し植物を育成するための育成部となっている。雨水貯留部と育成部は毛管現象資材によって互いに連絡され、雨水貯留部の水が毛管現象資材の毛管現象によって育成部土壌中に供給される。
【０００９】
毛管現象資材は不織布あるいは織布である土木用のシートあるいは樹脂製の細いパイプを束ねたもの利用可能であり、必要な耐久性があり植物に害を与えない毛管現象が期待できる材料なら利用可能である。
本壁面緑化用プランターの前面は必要に応じ格子状とし植物が上面のみならず前面からも芽を出すことができるようにすることも可能である。
図２に示すようにプランター前面より筒あるいは更に１ないし複数のプランターを突き出し全体の緑が立体的となるようにすることもできる。
【００１０】
本壁面緑化用プランターの壁面側には壁面に懸架できるよう懸架具を設ける。懸架具はボルトを打ち込むことでも良いが、壁面に平行あるいは格子状に梁をめぐらし、その梁にフックなどで固定するものでもよく、従来の技術をそのまま利用できる。
【００１１】
本壁面緑化用プランターの材質は樹脂、ステンレススチール、アルミニウムなどが使用可能であるが、使用期間、壁面の気象条件などを考慮して適切な材質を選ぶことができる。
【図面の簡単な説明】
【００１２】
【図１】は、本発明の壁面緑化用プランターの断面を示す概念図である。
【図２】は、本発明の壁面緑化用プランターの断面を示す他の例を示す概念図である。
【図３】は、本発明の壁面緑化用プランターに植物を植えた状態を示す概念図である。
【図４】は、従来の壁面緑化方法を示す概念図である。
【符号の説明】
【００１３】
１  壁面緑化用プランター
２  雨水貯留部
３  育成部
４  繊維質
５  懸架具
【図１】
2007190012.tif 000003
【図２】
2007190012.tif 000004
【図３】
2007190012.tif 000005
【図４】
2007190012.tif 000006
(57)【要約】【課題】従来の健康補助食品のにんにく卵黄、大麦若葉、クロレラ、ゴーヤ、くろ酢、グルコサミン、ケール、羅布麻茶等の粉末、水溶液の製品がより健康に効果的な食品として、愛飲方法はないかと、品質効果の向上を目的に解決の課題とした。【解決手段】その結果、健康補助食品のにんにく卵黄、大麦若葉等の製品に、抗ガン予防に特段の効果がある、海藻類から抽出した、フコイダンのエキスを粉末や水溶液にしたものを、混合配合処理して解決の手段とした。【特許請求の範囲】
【請求項１】
健康食品のにんにく卵黄に、海藻類から抽出したフコイダンを混入配合した、フコイダン入りにんにく卵黄の健康補助食品。
【請求項２】
健康食品の大麦若葉に、海藻類から抽出したフコイダンを混合配合した、請求項１のフコイダン入り大麦若葉の健康補助食品。
【請求項３】
健康食品のクロレラに、海藻類から抽出したフコイダンを混合配合した、請求項１のフコイダン入りクロレラの健康補助食品。
【請求項４】
健康食品のゴーヤに、海藻類から抽出したフコイダンを混合配合した、請求項１のフコイダン入りゴーヤの健康補助食品。
【請求項５】
健康食品のくろ酢に、海藻類から抽出したフコイダンを混合配合した、請求項１のフコイダン入りくろ酢の健康補助食品。
【請求項６】
健康食品のグルコサミンに、海藻類から抽出したフコイダンを混合配合した、請求項１のフコイダン入りグルコサミンの健康補助食品。
【請求項７】
健康食品のケールに、海藻類から抽出したフコイダンを混合配合した、請求項１のフコイダン入りケールの健康補助食品。
【請求項８】
健康食品の羅布麻茶に、海藻類から抽出したフコイダンを混合配合した、請求項１のフコイダン入り羅布麻茶の健康補助食品。
【発明の詳細な説明】
【技術分野】
【０００１】本発明は、もずく、昆布、ワカメ等の海藻類から抽出した、フコイダンを粉末や錠剤、水溶液にしたものを、健康補助食品に混合配合して、ガンの細胞を駆逐する、より付加価値の高い健康食品を生出す多機能の健康補助食品を製造することを特徴とする。
【背景技術】
【０００２】従来の、健康補助食品は、生活習慣病的栄養身体機能改善、疲労回復ダイエットなどを目的としており、フコイダンを利用した抗ガン予防の健康補助食品はなかった。
【発明の開示】
【発明の効果】
【０００３】このようにすれば、健康補助食品を日常愛用している人は、生活習慣栄養改善を念頭にしていたものが、自然の内に、一番気がかりなガンに対する予防的改善が出来るので、本発明品は多機能的健康補助食品の効果の利点がある。
【発明が解決しようとする課題】従来の健康補助食品のにんにく卵黄、大麦若葉、クロレラ、ゴーヤ、くろ酢、グルコサミン、ケール、羅布麻茶等の粉末、水溶液の製品がより健康に効果的な食品として、愛飲方法はないかと、品質効果の向上を目的に解決の課題とした。
【課題を解決するための手段】その結果、健康補助食品のにんにく卵黄等の製品に、抗ガン予防に特段の効果がある、海藻類から抽出した、フコイダンのエキスを粉末や水溶液にしたものを、混合配合処理して解決の手段とした。
【発明を実施するための最良の形態】
【０００４】本発明は、健康補助食品のにんにく卵黄、青汁ケール等のそれぞれの原料に、沖縄もずく、昆布，ワカメ等の海藻類を素材として抽出した、フコイダンのエキスの粉末、水溶液を混合配合した健康補助食品である。このように、生活習慣病的栄養身体機能改善、疲労回復等を目的とした各種の健康補助食品が、フコイダンの高濃縮エキスを混合配合することにより、日常自然の内に、健康補助食品として多機能に効果がある、付加価値の高い特徴のある、製品の提供ができた。
【産業上の利用可能性】本発明のフコイダンを混合配合した、にんにく卵黄、大麦若葉の青汁、クロレラ、ゴーヤ、くろ酢、グルコサミン、ケール、羅布麻茶の各種健康補助食品を日常愛飲すると、各種の健康補助食品はそれぞれの分野で特徴のある栄養に重点を置いた生活習慣病的な、健康の改善だけでなく、ガンの予防、転移，増殖、再発予防等、フコイダン特有のガンに対する、アポトーシス誘導作用、免疫力増強作用，血管新生抑制作用が働き、ガン細胞だけを攻略する其のパワーと効果は、アガリクスやメシマコブの比ではなく、ガンの代替療法として注目されている。このように、従来の健康補助食品の中に海藻類から抽出した、フコイダンを混合配合したことで、画期的健康補助食品ができた。本健康補助食品を毎日愛飲することで、健康を保ちながら、ガンの予防になる。このように、ガン予防改善に効果が認められることは、高齢化社会に於ける、一番問題の医療費の軽減になり、個人、国の予算を問わず、社会生活に貢献し、ひいては産業経済の発展に寄与するものである。フコイダンは、他の飲み薬と併用しても副作用は無く、各種健康補助食品に混合配合しても何ら弊害は無く、付加価値の高い健康補助食品であるので日常生活に効果的である。
(57)【要約】      （修正有）【課題】しっかりと根の張った植物を植え替えるのに、容易に植え替えられる植木鉢、プランタ−を提供する。【解決手段】材質をハッポースチロールにする。【選択図】なし【特許請求の範囲】
【請求項１】
植木鉢・プランターの材質をハッポースチロールとする。
【発明の詳細な説明】
【技術分野】
【０００１】この発明はハッポースチロールでつくった植木鉢・プランターに関するものである。
【背景技術】
【０００２】従来、植木鉢・プランターは、木、プラスチック等、容易にこわすことができない材質でつくられている。
【発明の開示】
【発明が解決しようとする課題】
【０００３】従来の植木鉢であると、しっかりと根を張った植物を植え替える時に、土が固くなっていて、取り出すのに困難であった。
【課題を解決するための手段】
【０００４】材質をハッポースチロールにする。
【発明の効果】
【０００５】したがって、しっかりと根を張った植物でもハッポースチロールなので容易に植え替えることができる。
(57)【要約】【課題】  溶融スラグの有効利用が最近陸上事業で促進されている。しかし陸上事業では範囲が限られており利用量が少なく、いまだ未利用物が多い。  そこで、溶融スラグの大量使用に適するものに藻礁や漁礁があるが、大量使用の為にスラグ含有の重金属類の溶出に注意し溶出を最大限に抑制しなければならない課題がある。【解決手段】  溶融スラグの粒状物を活性炭、灰、火山噴出物（シラス）等で樹脂セメント等を結合剤として被覆包含し、溶出を最大限に抑制すると同時に２重構造の多孔質を成型することにより、微生物の生育に適した藻礁・漁礁を得られ、大量使用の自然環境に優しい商品開発が成功した。【選択図】なし【特許請求の範囲】
【請求項１】
溶融スラグ粒状物５０％〜６０％（質量）を基材として樹脂セメント等の結合剤でポーラス状に加工中に、活性炭、炭、火山噴出物（シラス）等の超多孔質物５％〜１０％（質量）を付加し２重構造のポーラスが出来るよう成型加工することを特徴とする、藻礁及び漁礁の製造方法及びその製品。
【請求項２】
上記請求項１記載の藻礁・漁礁の成型品を汚染海域に一定量投入し海流変化をもたらすよう構築し、２重構造のポーラス特性を生かし海水中の微生物の増殖を促進させ、海洋浄化施設と水産資源増殖施設の両方を併用することを特徴とする溶融スラグ利用の藻礁・漁礁。
【発明の詳細な説明】
【技術分野】
【０００１】  本発明は、各種溶融スラグ粒状物５０％〜６０％（質量）を基材として樹脂セメント等の結合剤でポーラス状に加工中に活性炭、炭、火山噴出物（シラス）等の超多孔質物５％〜１０％（質量）を付加し、２重構造のポーラスが出来るよう成型加工することを特徴とする藻礁・漁礁の製造方法に関するものである。
【背景技術】
【０００２】  従来多孔質の藻礁・漁礁は各種製造されているが、溶融スラグ粒状物を基材とした２重構造の多孔質成型藻礁・漁礁は出来ていない。【０００３】  従来の溶融スラグ利用の藻礁・漁礁は溶融スラグを急冷せず、流動性のある時に型枠に流し込み徐冷し、溶融スラグ１００％で成型され利用される物（特許文献１）がある。【０００４】
【特許文献１】特許公開２００５−１３７３１４５号公報
【発明の開示】
【発明が解決しようとする課題】
【０００５】  溶融スラグの有効利用が最近陸上事業で促進されている。しかし陸上事業では範囲が限られており利用量が少なく、いまだ未利用物が多い。
そこで、溶融スラグの大量使用に適するものに藻礁や漁礁があるが、大量使用の為にスラグ含有の重金属類の溶出に注意し溶出を最大限に抑制しなければならない課題がある。
【課題を解決する為の手段】
【０００６】  溶融スラグの粒状物を活性炭、灰、火山噴出物（シラス）等で樹脂セメント等を結合剤として被覆包含し、溶出を最大限に抑制すると同時に２重構造の多孔質を成型することにより、微生物の生育に適した藻礁・漁礁を得られ、大量使用の自然環境に優しい商品開発が成功した。
【０００７】  本発明は、超多孔質物の微粒子５％〜１０％（質量）と溶融スラグ粒状物５０％〜６０％（質量）を基材として樹脂セメント等の結合剤でポーラス状に成型加工し２重構造のポーラス成型品が出来ることを特徴とする。
【０００８】  超多孔質物の微粒子を付加することにより２重構造のポーラス特性を生かし海水中の微生物の増殖を促進させ、植物プランクトンや海藻の胞子や種等の着生を育成することが出来ることを特徴とする。
【発明の効果】
【０００９】  人工構造物は、失われた生態系に代る新たな生態系を生み出す可能性がある。そこで、本発明の２重構造のポーラス藻礁・漁礁は付着生物の生息が著しく、付着生物群集を形成させることが出来る。
【００１０】  本発明の２重構造のポーラス藻礁・漁礁を汚染海域に一定量を投入し、海流変化をもたらす様に構築し、海洋群集生態を活用し、海洋浄化施設と水産資源増殖施設の両方を併用することが特徴付けられる。
【発明を実施する為の最良の形態】
【００１１】  安全で安価な水産資源増殖用の藻礁・漁礁を製造できることを実現した。
【実施例１】
【００１２】    溶融スラグの粒子１ｍｍ〜７ｍｍを基材として５０％〜６０％（質量）を配合し粒骨材とする。【００１３】  該粗骨材に樹脂セメントと超多孔質物５％〜１０％（質量）を混練してポーラス成型品を得る。【００１４】  混練手順はミキサーに溶融スラグ基材を投入し樹脂セメントを加え、２分位撹拌した後、超多孔質物を加え６０秒ほど撹拌、混練する。【００１５】  撹拌、混練された材料を成型枠にすばやく押し込んで微振動を与えながら加圧し、そのまま養生し１２時間以降に脱型する。【００１６】  脱型して２１日以上養生すれば２重構造のポーラス成型品が出来上がる。
【産業上の利用可能性】
【００１７】  本発明の２重構造のポーラス藻礁・漁礁は、溶融スラグを大量に使用することに適している。【００１８】  汚染海域に自然付着生物群集の共生生態が環境に合わせて形成でき、海域を蘇らせることが出来る。【００１９】  他のコンクリート製の藻礁・漁礁に比べ、わずか２ヶ月足らずで固着、付着性生物の２群が出現し、周年を通して付着が認められる。【００２０】  ２重構造のポーラス組成物には短期間に付着生物群が出現するので藻場・漁場造成が早期に完成できる。
(57)【要約】【課題】簡単に水中で効率よく小さな微細気泡を安定して供給する。【解決手段】気体発生部６と、前記気体発生部６で発生した気体を加熱する加熱部７と、前記加熱部７で加熱された気体を水中に噴射させる気体噴射部５とを備えたものであり、効率よく小さな微細気泡をより安定的に供給できる。【選択図】図１
2007190484.tif 000002
【特許請求の範囲】
【請求項１】
気体発生部と、前記気体発生部で発生した気体を加熱する加熱部と、前記加熱部で加熱された気体を水中に噴射させる気体噴射部とを備えたことを特徴とする微細気泡発生装置。
【請求項２】
気体発生部から発生させる気体がオゾンであることを特徴とする請求項１記載の微細気泡発生装置。
【請求項３】
気体発生部から発生させる気体が水素であることを特徴とする請求項１記載の微細気泡発生装置。
【請求項４】
気体発生部から発生させた気体と水蒸気を混合して、気体噴射部より噴射させることを特徴とする請求項１〜３のいずれか１項に記載の微細気泡発生装置。
【発明の詳細な説明】
【技術分野】
【０００１】
本発明は、水中に気体を噴射することによって微細気泡を形成する微細気泡発生装置に関するものである。
【背景技術】
【０００２】
従来、液中に微細気泡を発生させる手段としては、旋回流を利用して気体を細かくして微細気泡を効率的に得る方法（例えば、特許文献１参照）や、水中に蒸気とオゾンを別々に注入する方法があった（例えば、特許文献２参照）。
【特許文献１】特開２００３−１２６６６５号公報
【特許文献２】特開２００４−１６０４３７号公報
【発明の開示】
【発明が解決しようとする課題】
【０００３】
しかしながら、前記従来の構成では、微細な泡を得るためにキャビテーションを発生させるために加圧が必要であったり、旋回流を起こさせるために回転が高速になるモータが必要であった。また、水中に蒸気とオゾンを別々に投入した場合、オゾンの気泡と蒸気の気泡が別々に存在し、混ざり合いにくいため相乗効果が小さくなるものである。
【０００４】
本発明は、上記従来の課題を解決するもので、水中に簡単に微細気泡を形成させることができる装置を提供することを目的とする。
【課題を解決するための手段】
【０００５】
前記従来の課題を解決するために、本発明の微細気泡発生装置は、気体をあらかじめ加熱し、この加熱された気体を微細気泡として水中に噴射するものである。小さな微細気泡を効率よく安定的に発生することができるものである。
【発明の効果】
【０００６】
本発明の微細気泡発生装置は、小さな微細気泡を効率よく安定的に発生することができる。
【発明を実施するための最良の形態】
【０００７】
第１の発明は、気体発生部と、前記気体発生部で発生した気体を加熱する加熱部と、前記加熱部で加熱された気体を水中に噴射させる気体噴射部とを備えたことにより、より小さい微細気泡をつくることができるとともに、効率よく小さな微細気泡をより安定的に供給することができ、微細気泡の特性（帯電、自己加圧効果、気体の溶解性等）を十分に発揮できるものである。
【０００８】
第２の発明は、特に、第１の発明の気体発生部から発生させる気体がオゾンであることにより、長時間に亘って殺菌効果に優れた水をつくることができる。
【０００９】
第３の発明は、特に、第１の発明の気体発生部から発生させる気体が水素であることにより、還元作用の強い水をつくることができる。
【００１０】
第４の発明は、特に、第１の発明の気体発生部から発生させた気体と水蒸気を混合して、気体噴射部より噴射させることにより、水中に気泡が噴射された際により小さな気泡となり、気体の持つ特性がより効果的に働かせることができるものである。
【００１１】
以下、本発明の実施の形態について、図面を参照しながら説明する。なお、本実施の形態によって本発明が限定されるものではない。
【００１２】
（実施の形態１）
図１は、本発明の第１の実施の形態における微細気泡発生装置の構成図である。図１において、気体発生部６で発生した気体は、気体を加熱するための加熱部７に導かれ、所定の温度に加熱される。加熱された気体は、気体噴射部５から容器１に入っている水２の中に噴射される。水２の中に噴射された気泡３は次第に微細気泡４へ形成されていく。
【００１３】
このとき、気体噴出部５より水２に噴射された気泡３は、周りの水２と比較して高温となっており、徐々に周りの水に熱を奪われることで体積が小さくなって、最終的には、非常に小さい粒径の微細気泡４が形成されるものである。また、一部の気泡３は、急激な冷却により一瞬で崩壊してしまい、水２の中に溶解するようになり、気体の溶存濃度が高い水を得ることができる。
【００１４】
発生させる気体を、オゾンとすることで殺菌効果を高めた機能水を作成することができ、例えば、食器洗い乾燥機、洗濯機、工業用の洗浄機等に応用することで殺菌効果を発揮させることができるものである。
【００１５】
また、発生させる気体を、水素とすることによって、還元力のある還元水をつくることができ、例えば、金属材料の洗浄に使用すれば錆が発生しにくくなり、また食材へ応用することで吸水性や抽出性がよくなり、お米の吸水性向上やお茶等の抽出をよくすることができる。
【００１６】
（実施の形態２）
図２は、本発明の第２の実施の形態における微細気泡発生装置の構成図である。図２において、気体発生部６で発生した気体と水蒸気発生器９で発生した水蒸気は、混合器８に導かれ混合される。前記混合された水蒸気を含む気体は、気体噴射部５から容器１に入っている水２の中に噴射される。水２の中に噴射された気泡３は次第に微細気泡４へ形成されていく。水蒸気と混合された気体は、気体噴出部５より水２に噴射された気泡３は、周りの水２と比較して高温となっており、徐々に周りの水に熱を奪われることで体積が小さくなって、最終的には、非常に小さい粒径の微細気泡４が形成されるものである。水蒸気と混合することにより気体だけを加熱するときと比較して、体積あたりの持つ熱量が大きいので、水２に噴出された際に周りの水による冷却でより小さな微細気泡が形成できるものである。
【産業上の利用可能性】
【００１７】
以上のように、本発明にかかる微細気泡発生装置は、気体を加熱した後、水中に噴出させることにより、簡単に微細な気泡を水中に形成させることができるものであり、家庭用の洗濯機、食器洗い乾燥機だけでなく工業分野でも幅広く使用できるものである。
【図面の簡単な説明】
【００１８】
【図１】本発明の第１の実施の形態における微細気泡発生装置の構成図
【図２】本発明の第２の実施の形態における微細気泡発生装置の構成図
【符号の説明】
【００１９】
１  容器
２  水
３  気泡
４  微細気泡
５  気体噴射部
６  気体発生部
７  加熱部
８  混合器
９  水蒸気発生器
【図１】
2007190484.tif 000003
【図２】
2007190484.tif 000004
(57)【要約】【課題】完全にスジムラの発生を防止できるシャドウマスク用鋼板の製造方法を提供する。【解決手段】ロール半径方向の円周振れが2μm以下のワークロールを用いて冷間圧延することを特徴とするシャドウマスク用鋼板の製造方法。【選択図】図2
2007268539.tif 000002
【特許請求の範囲】
【請求項１】
ロールの半径方向の円周振れが2μm以下のワークロールを用いて冷間圧延することを特徴とするシャドウマスク用鋼板の製造方法。
【発明の詳細な説明】
【技術分野】
【０００１】
本発明は、シャドウマスク用鋼板の製造方法に関する。
【背景技術】
【０００２】
カラーTVなどのブラウン管には、電子ビームを通過させるための孔が多数エッチング加工されたシャドウマスクが組込まれている。このシャドウマスク用の鋼板としては、電子ビームの照射により加熱され、熱膨張して引き起こす色ずれを防止するために、Fe-36%Ni合金板を代表とする低熱膨張係数を有するアンバー合金板が用いられる場合が多い。
【０００３】
このシャドウマスク用鋼板では、板厚に微小な変動があると、エッチング加工時に孔径の不均一(孔径ムラ)を引き起こし、光を透過させたときに認められるスジムラと呼ばれるスジ状の色調異常が発生する。そのため、シャドウマスク用鋼板の製造では、3%以下の高い板厚精度が要求されており、表面研削時の研削ムラ、冷間圧延時の機械振動や張力変動などを抑制するための対策が採られている。例えば、特許文献1には、長手方向および幅方向における長さ50mm間の板厚変動を、冷間圧延時の張力と圧下率のバランスを制御してロールストップやロールスリップを防止し、1.5μm以下に抑制したスジムラの発生しないシャドウマスク用金属板が開示されている。
【特許文献１】特開平5-94767号公報
【発明の開示】
【発明が解決しようとする課題】
【０００４】
しかしながら、特許文献1には、冷間圧延時の張力と圧下率のバランスをどのように制御するかは開示されておらず、また、本発明者らがロールストップやロールスリップを防止しても、完全にはスジムラの発生を抑制できなかった。
【０００５】
本発明は、完全にスジムラの発生を防止できるシャドウマスク用鋼板の製造方法を提供することを目的とする。
【課題を解決するための手段】
【０００６】
上記の目的は、ロールの半径方向の円周振れが2μm以下のワークロールを用いて冷間圧延することを特徴とするシャドウマスク用鋼板の製造方法により達成される。
【発明の効果】
【０００７】
本発明のシャドウマスク用鋼板の製造方法により、完全にスジムラの発生を防止できるシャドウマスク用鋼板を製造できるようになった。
【発明を実施するための最良の形態】
【０００８】
本発明者らが、スジムラの発生要因について種々検討したところ、従来からいわれている表面研削時の研削ムラ、冷間圧延時の機械振動や張力変動などの要因以外に、冷間圧延のためのワークロールの真円度が重要な役割を果たしていることを見出した。特に、シャドウマスク用鋼板の圧延などで通常使用されるゼンジミア圧延機のワークロールは、ダル加工などにより表面粗度が調整されるが、そのときロールに回転ムラが存在すると、ワークロールの真円度不良を誘発しやすい。
【０００９】
図1に、電気マイクロを用いて測定したダル加工後のワークロールの半径方向の円周振れの一例を示したが、円周振れは円周方向位置によって最大で6μm程度変動していることがわかる。この変動は、圧延後のシャドウマスク用鋼板の板厚変動を引き起こし、スジムラの原因となる。
【００１０】
そこで、ダル加工条件等の調整によりどの程度までワークロールの円周振れを改善すれば、スジムラの発生を完全に防止できるかを検討したところ、図2に一例を示したように、ワークロールの半径方向の円周振れを2μm以下にすればよいことが明らかになった。実際、ワークロールの半径方向の円周振れが2μm以下のワークロールを用いてゼンジミア圧延機でFe-36%Ni合金板を0.2mmまで冷間圧延したところ、これまで10%程度の発生率で発生していたスジムラを皆無にすることができた。
【図面の簡単な説明】
【００１１】
【図１】ダル加工後のワークロールの半径方向の円周振れの一例を示す図である。
【図２】改善されたワークロールの半径方向の円周振れの一例を示す図である。
【図１】
2007268539.tif 000003
【図２】
2007268539.tif 000004
(57)【要約】【課題】  書物を支える部位を簡便化させると共に、手摺りのあるベットのみならずあらゆる寝床で読書が可能なような構造とする。【解決手段】  書物を支える部位を透明板に変え、開いたページを透明板の上に置けるようにする。また、脚部は装置全体をコの字型とし、上下を支柱で繋ぎ、上部に透明板を付け、下部に脚部を付け、その脚部を寝床の下に挿入するだけで装置の固定化が計れるようにする。【選択図】図１
2007268231.tif 000002
【特許請求の範囲】
【請求項１】
寝た状態で読書が出来る装置であって、書物を宙で支え固定する部分を透明板としたことを特徴とする読書装置。
【請求項２】
寝た状態で読書が出来る装置であって、同装置の脚部を敷布の下に差し込むことで、書物を含む重量に依る装置の転倒を防止することを特徴とした、書物を宙に支え固定する読書装置。
【発明の詳細な説明】
【技術分野】
【０００１】  本発明は、就寝状態で書物を読む際に、手で書物を掲げること無く書物を中に浮かせて読むことが出来る装置に属する。
【背景技術】
【０００２】  従来の寝床用読書装置では、ページを捲る際に各ページをクリップ等に依り開いたページを押さえる方法であるのと、ベット等の手摺り部分に装置の脚部を固定のうえ書物を宙に浮かせる方法に依る装置である。【０００３】  寝床用読書装置は、読書をする者の負担を軽減させるのが目的であり、より簡便にページが捲れ、且つ、ベットのみに限らず畳の上等あらゆる寝床で本来活用されるものである。
【特許文献１】
【発明の開示】
【発明が解決しようとする課題】
【０００４】  従来の装置では、ページを捲り固定するのに各ページをクリップ等の固定具で押さえて止める方法であるが、各ページを固定するのに手間がかかるのと重たい書物はページの固定に困難なところがあった。また、ベットの手摺り等が装置の固定に必要とされていた。【０００５】  このため、現在市販されている装置では、読者側から不評の声が上がっており、利用者も限られているのが現状である。【０００６】  本発明は、上述のページの固定方法の簡便化を計ることと、あらゆる寝床で使用出来る装置を考案することにある。
【課題を解決するための手段】
【０００７】  本発明は、ページの固定方法を、従前のクリップ方式から透明板に変え、透明板の上に開いたページを載せるだけの方法にすることと、書物の宙に浮かせる方法を、装置全体の構造をコの字型とし、上方を透明板とし下方を装置の脚部として敷布の下へ挿入することにより装置そのものの転倒を防ぐ方法とする。
【発明の効果】
【０００８】  以上の説明から、本発明は、透明板の上に開いたページを唯単に載せていくだけのものとすることで、以前のようにいちいちクリップで止める手間を省くことが出来、また、装置全体をコの字型とし脚部を寝床の下に挿入するだけで装置の固定化が計れるため、ベットの手摺り等への固定の必要も無く、取り外しが簡単となる等、読者の負担を軽減させることが可能となる。また、あらゆる寝床での使用が可能となる。
【発明を実施するための最良の形態】
【０００９】  以下、本発明の実施の形態を図面に基づき詳細に説明する。【００１０】  図１〜図４は本発明の第１の実施の形態に係り、図１はその外観全体斜視図、図２は透明板部斜視図、図３は装置の脚部斜視図、図４は透明板と固定柱との接続部を含む透明板固定部斜視図である。【００１１】  図１、図２に示すように、書物が透明板１１から滑り落ちないように透明板１１の下方をＬ字型１２とし、また透明板１１の左右端のどちらかに固定柱１４との接続部１３を設ける。【００１２】  図２、図３が示すように接続部１３は透明板１１の角度１５、上下方向１６、水平方向１７に可動するようにすると共に、高さ調整１８が可能な構造とする。【００１３】  図１が示すように、水平方向に脚部１９を張り出し、その１隅に固定柱１４を垂直に固定した構造とする。
【実施例】
【００１４】  試作品例では、透明板は、３０ｃｍＸ３４ｃｍＸ０．３ｃｍの強化ガラスでＬ字部分はＬ字アルミ鋼を使用、固定柱は、直径２．３ｃｍＸ長さ：７０ｃｍ、脚部は、巾２．５ｃｍＸ長さ６４ｃｍＸ厚み０．３ｃｍの平鋼材に依る一辺６４ｃｍ四方の正方形となっている。
【図面の簡単な説明】
【００１５】
【図１】本発明の実施の形態に係る寝床用読書装置の外観全体斜視図である。
【図２】図１の透明板部斜視図である。
【図３】図１の透明板と固定柱との接続部を含む透明板固定部の側面から見た断面図である。
【符号の説明】
【００１６】１１  透明板
１２  Ｌ字部
１３  接続部
１４  固定柱
１５  透明板の角度調整部
１６  透明板の上下方向調整部
１７  透明板の水平方向調整部
１８  透明板の高さ調整リング
１９  脚部
２０  照明灯
【図１】
2007268231.tif 000003
【図２】
2007268231.tif 000004
【図３】
2007268231.tif 000005
(57)【要約】      （修正有）【課題】医療行為として人体の血流の流れや、リンパの流れ気の流れをよくする為に人体のツボを刺激する医療器具であって、安全で施術者の負担を改善された使い捨ての医療器具を提供する。【解決手段】プラスチックの棒２に、長さが一定長さの滅菌された針１が装着されており、それによって一定の深さで安全にかつすばやく施術することにより人体のツボを刺激するように構成したことを特徴とする。【選択図】図２
2007268233.tif 000002
【特許請求の範囲】
【請求項１】
プラスチックの棒に、長さが一定の滅菌された針が装着された医師及び針師が使う人体のツボを刺激する使い捨ての医療器具。
【発明の詳細な説明】
【技術分野】
【０００１】この発明は、医療行為として人体の血流の流れや、リンパの流れ気の流れをよくする為に人体のツボを刺激する医療器具である。
【背景技術】
【０００２】従来、施術者が医療行為として針の深さを調節しながらに針を患者に刺入していた。
【発明の開示】
【発明が解決しようとする課題】
【０００３】そのために、次のような問題点が生じていた。
（イ）施術者が針を刺入する際、深く針を入れすぎて、患者の安全が脅かされていた。
（ロ）針の刺入を一定の深さで入れていくのは施術者の熟練した技が必要であった。
本発明は、以上の問題点を解決したものである。
【課題を解決するための手段】
【０００４】プラスチックの棒に長さが一定の滅菌された針をつける。
以上の構成からなる人体のツボを刺激する使い捨ての医療器具である。
【発明の効果】
【０００５】  したがって、患者に針を刺入する際、針の長さが一定なので患者に深く入れる危険性が全くなく安全でかつ、すばやく一定の深さで施術できるので施術者の負担がかなり改善された。
【発明を実施するための最良の形態】
【０００６】以下、本発明の実施の形態について説明をする。
（イ）プラスチックの棒（２）に滅菌された長さが一定の針（１）がついている。
本発明は、以上の構成からなる、人体のツボを刺激する医療器具である。
以下、使用法について説明する。
患者の体のツボをねらって力をいれずに軽くたたく。刺激が必要な場合は棒（２）を回転させるとよい。また、患者の性別や年齢や症状、既往歴によって針の長さ（０．１〜２．０ミリ）を変えていく事により治療効果を高める。
【図面の簡単な説明】
【０００７】
【図１】  本発明の斜視図
【図２】  本発明の原理説明図
【符号の説明】
【０００８】  １は針
２はプラスチックの棒
【図１】
2007268233.tif 000003
【図２】
2007268233.tif 000004
(57)【要約】【課題】  手の届かない背中の患部に自分で塗り薬を塗ることができると共に、肩叩きや孫の手としても使用できる補助具を提供する。【解決手段】  塗り薬を塗る場合は、塗り薬容器８を柄１の一端部にある保持枠２にバンド３で固定し、患部に塗る。肩叩きとして使用する場合は、附属の肩叩き部７を保持枠２にバンド３で固定し、肩を叩く。孫の手として使用する場合は、掻き手６で患部を掻く。【選択図】図１
2007268234.tif 000002
【特許請求の範囲】
【請求項１】
柄に保持枠を設け、バンドで固定する方式により、肩叩きの肩叩き部分を着脱可能にし、塗り薬の容器を取り付け可能にした孫の手。
【発明の詳細な説明】
【技術分野】
【０００１】  本発明は、塗り薬を普段手の届かない背中の患部にも塗布できるようにした補助具であり、肩叩き及び孫の手の機能を兼ね備えたものである。
【技術背景】
【０００２】  従来から、塗り薬として、容器に収容された液体や固形のものが使用されているが、これらの塗り薬を患部に塗る場合は、容器を自分の手で持たねばならず、手の届かない背中の患部に塗る場合は、他人に依頼しなければならなかった。
【０００３】  これらの問題を解決する例として、特許文献１や、特許文献２に開示されているものがある。
【特許文献１】  特開平９ー２２５０３８号公報
【特許文献２】  実開平５−５１３５９号公報
【発明の開示】
【発明が解決しようとする課題】
【０００４】  このように、塗り薬を背中の患部に塗る場合は、今まで他人の助けを必要としていたため、家族の留守中や、一人暮らしの人にとっては、大変不便であった。また、肩の凝りや背中の痒みに備えて、肩叩きや孫の手を別途用意しておく必要があった。【０００５】  そこで、この発明は、手の届かない背中の患部に自分で塗り薬を塗ることができると共に、肩叩きや孫の手としても使用できる補助具を提供しようとするものである。
【課題を解決するための手段】
【０００６】  この課題を解決するため、柄の一端部に塗り薬の容器を取り付けられる保持枠を、他端部に屈曲した板状の掻き手を、それぞれ形成した構成を採用している。【０００７】  塗り薬を背中の患部に塗る際には、保持枠に塗り薬の容器を取り付け、柄を握って保持枠を背中側に廻し、患部に塗り薬を擦りつける。【０００８】  肩叩きとして使用する場合は、附属の肩叩き部を保持枠に取り付けて肩を叩く。【０００９】  孫の手として使用する場合は、掻き手で患部を掻く。
【発明の効果】
【００１０】  本発明により、今まで手の届かなかった背中の患部に自分で塗り薬を塗ることができるようになると共に、塗り薬に換えて保持枠に附属の肩叩き部を取り付けることで肩叩きや孫の手としても使用できるので、肩叩きや孫の手を別途用意する必要もない。
【発明を実施するための最良の形態】
【００１１】  図１は、この発明に係わる孫の手の斜視図である。保持枠２には弾力性のある素材を用いる。この保持枠２の基礎部分は円筒形とし、枠の一部は切り取った形とする。【００１２】  保持枠２に、塗り薬容器８や附属の肩叩き部７を取り付ける際は、バンド３で固定するが、バンド３の内側と保持枠２の外側はそれぞれマジックテープ５で構成されている。【００１３】  これにより、円筒形のみならず、断面が楕円形をした容器や、保持枠２と多少大きさの異なる容器の取り付けも可能となる。【００１４】  保持枠２に塗り薬容器８及び附属の肩叩き部７をしっかりと固定するために、これらと接するバンド３の内側部分には、クッション材４が取り付けてある。【００１５】  保持枠２及びバンド３は柔らかい素材であるため、使用中誤って患部等の皮膚に触れても、与える衝撃は少ない。【００１６】  柄１の部分の材質は竹材などでもよいが、プラスチック材などでもよい。【００１７】  これらの素材及び形状により、参考例としてあげた特許文献とは明かな違いがあるものと考えられる。
【産業上の利用可能性】
【００１８】  本発明に係わる孫の手は、工業的に量産することが可能であるため、産業上の利用可能性を有する。
【図面の簡単な説明】
【００１９】
【図１】  本発明に係わる塗り薬塗布機能付き孫の手の一実施形態を示す斜視図である。
【図２】  同上の孫の手の柄の一端部にある保持枠周辺部分及び塗り薬容器の拡大図である。
【図３】  附属の肩叩き部の拡大図である。
【符号の説明】
【００２０】  １  柄
２  保持枠
３  バンド
４  クッション材
５  マジックテープ
６  掻き手
７  附属の肩叩き部
８  塗り薬容器
【図１】
2007268234.tif 000003
【図２】
2007268234.tif 000004
【図３】
2007268234.tif 000005
(57)【要約】【課題】  本考案は、美容院などで、おこなわれている、仰向け姿勢による洗髪によって、おこりうる、美容院脳卒中症候群を防止する。また今使用している、洗髪器を取り替えることなく、安全性の高い洗髪器に変えることができる。【解決手段】  本考案は、頚椎を支点にし、洗髪していた状態から、後頭部を支点にすることができる、よって頚椎に負担がなく、事故防止することができる。本考案の洗髪用補助具は、形状に特徴があり、先端をまっすぐにすることにより、大きさの多少違う洗髪器にも、設置することができる。またずれないよう、吸着盤をつけ、より安定させ安全を強めた。【選択図】図１
2007268223.tif 000002
【特許請求の範囲】
【請求項１】
板状の物を（材質として、金属、プラスチック、木材でもよい）形成し、先端の部分に吸着盤をつけていることを、特徴としている洗髪用補助具。
【発明の詳細な説明】
【技術分野】
【０００１】  本発明は、板状の物を（材質として、金属、プラスチック、木材でもよい）形成し、先端を曲げず、吸着盤をつけた洗髪用補助具に関するものである。
【背景技術】
【０００２】  従来、美容室などで、洗髪を施術する場合、洗髪を受ける人を、仰向けにし、洗髪器の縁に、頚椎部をのせて、洗髪をしていた。最近、美容業界においても、後頭部を支持する洗髪器も販売されてきた。
【発明の開示】
【発明が解決しようとする課題】
【０００３】  そのために、次のような問題点があった。
（イ）頚椎を支持する洗髪施術では、頚椎に負担をかけ、美容院脳卒中症候群をおこす危険がありました。
（ロ）最近の頭部を支持する洗髪器を使用する場合、従来の洗髪器は、利用できず、また、高価であり、取り外すことができない。
本発明は、これらの問題点を、解決するために、なされたものである。
【課題を解決するための手段】
【０００４】  板状の物を（材質として、金属、プラスチック、木材でもよい）形成し、先端の部分に吸着盤をつけていることを、特徴としている洗髪用補助具である。
【発明の効果】
【０００５】  頚椎の圧迫感がない。取り付けが簡単で、多少大きさの違う洗髪器にも利用でき安価である。
【発明を実施するための最良の形態】
【０００６】  以下、本発明の実施の形態について説明する。
（イ）板状の（１）を図１のように形成し、先端の部分を、折り曲げないことにより、多少の大きさの違う洗髪器にも利用できる。
（ロ）図（１）ように先端に、ひも状のものをつけ、その先に吸着盤（４）をつける。
（ハ）すべり止め（３）ゴム製マットを、両端側  、下部につける。
（ニ）枕部分（２）にはゴムマットまたは、スポンジ、シリコン入り枕などでもよい。
本発明は、以上のような構成で、洗髪器の前方部位に、設置して使用する。
【図面の簡単な説明】
【０００７】
【図１】  本発明の斜視図
【図２】  本発明の図１の洗髪器の使用状態の概略的断面図である。
【図３】  図３は図２の側面図である。
【図４】  本発明を洗髪器に設置し真上から見た図である。
【符号の説明】
【０００８】  １  本体
２  枕
３  ゴム製マット
４  吸着盤
５  洗髪器
【図１】
2007268223.tif 000003
【図２】
2007268223.tif 000004
【図３】
2007268223.tif 000005
【図４】
2007268223.tif 000006
(57)【要約】【目的】  靴周囲を二重ケーシング、水室内部に丸形補強材に多数の穴を形成し、最低の面積で補強し、体重、水圧を支える。また冷温水室のケーシング、下部上下を厚くして水温タンクを造る。上部壁左右を薄くする。外側断熱材を厚く、内側保温材は薄く、最上部にゴム・糸、保温カバー、下部に注湯口を設ける。夏冬間足元を冷暖房することで、光熱費節約などを特徴とする、足元ぽかり。【構成】  靴、胴周囲を二重０１ケーシング、０４冷温水室部に０５丸形補強材に多数の穴を形成し最低の面積で補強し、体重、水圧を支える。また０４冷温水室部の０１ケーシングを下部上下に厚くして、０４冷温水タンクを造る。上部壁左右を薄くする。外側断熱材を厚く、内側０３保温材は薄く、最上部に１０ゴム・糸、１１保温カバー下部に０８注湯口、１１断熱カバーを設ける、足元ぽかり。【選択図】図１
2007268230.tif 000002
【特許請求の範囲】
【請求項１】
足元ぽかりにおいて、靴外周囲を二重ケーシングと丸形補強材を使用し簡単に変形しない構造とすることが特徴である。
冷温水室、下部貯水室において、上下を厚くし上部壁を左右に薄くすることで、自然循環により、足に快適な熱が伝わることを特徴とする。丸形補強材は体重と水圧を支え、丸形に多数の穴を形成し、最低の面積で補強することを特徴とする。
また断熱材とケーシング部の外周を厚くし、内側に保温材を薄く張る構造を特徴とする。最上部に保温カバーに糸を設ける。熱損失量を減らす目的である。ゴムや糸で簡単に閉じる物であれば良い。などによって構成される。これを使用することで、冬期間のストーブの上に置いてある蒸発皿やヤカンのお湯を冷温水室上部にある注湯口より注湯し、冷温水室の水を繰り返し有効利用できる。足元ぽかりをはいて足元を温めることにより、室内の温度を通常より下げることができ燃料費節約ができる。また夏期間は、冷温水室に冷水を入れ、足元を冷やし体温を下げる作用もある。多少、歩くこともできるなどを特徴とする。
【請求項２】
二足の靴を一足、中側の靴を小さくし外側の靴を大きく造り、外側を前後左右に２枚に割り、両側に図２の０５補強材を取り付け、中側の靴に左右はり付けることで、図２の０４水温水室ができることとなる。中側を薄く外側を厚く、ＥＶＡ発泡樹脂系で靴全体を造ることで、外側は熱損失を少なく、中側は熱損失が大きくなり、足元を快適に温めることとなる。
【発明の詳細な説明】
【産業上利用分野】
【００１】本発明は、靴外周囲を二重ケーシングとし、水室を造り、外周囲に耐熱材をはり水室内にお湯を貯湯する構造にしている。冬期間のストーブの上に置いてある蒸発皿やヤカンのお湯などを水室内に貯湯し、足元を温めることで室内温度を通常より下げて快適にすごすことができる。よって光熱費節約となる。また現在、地球温暖化防止及び省エネに資するため、ウォームビズを取り組み、室内温度を例年より低めに設定している役所が多いことから発明された。
【背景技術】
【００２】従来は、地球温暖化防止及び省エネに資するウォームビズ・クールビズ実施に、積極的でなかった。現在では、役所で多く実施していることから考えられた。また災害用予備品として最適である。
【発明が解決しようとする課題】
【００３】したがって各メーカーとも、この足元ぽかりを莫大な研究費と試作費を費やして研究したが、解決しなかった。本発明は、こうした使用者の強い要望に応えるために発明されたのである。
【課題を解決するための手段】
【００４】この発明は、足元ぽかりにおいて、靴外周囲を二重図２の０１ケーシングとして、図２の０５丸形補強材で簡単に変形しない構造とすることが特徴である。図２の０４冷温水室、下部貯水室において、上下を厚く、下部壁を左右薄くすることで、自然循環により足に快適な熱が伝わることを特徴とする。
図２の０５丸形補強材は、体重と水圧を支え丸形に多数の穴を形成し、最低の面積で補強することを特徴とする。また図２の０２断熱材とケーシング部の外周を厚くし、内側に図２の０３保温材を薄く張る構造を特徴とする。最上部に図１の１１保温カバーにゴム・糸を設ける。熱損失量を減らす目的である。
図１の１０ゴム・糸で簡単に閉じる構造とする。
【作用】
【００５】本発明は以上のような構造であるから、これを使用することで、冬期間のストーブの上に置いてある蒸発皿、ヤカンのお湯を０４冷温水室上部にある注湯口より注湯し、図２の０４冷温水室の水を繰り返し有効利用できる。足元ぽかりをはいて足元を温めることにより、室内の温度を通常より下げることができ、燃料費節約ができる。また夏期間は、図０２の０４冷温水室に冷水を入れ、足元を冷やし体温を下げる作用もある。多少、歩くこともできるなどを特徴とする。
【実施例】
【００６】足元ぽかりにおいて、靴外周囲を二重図２の０１ケーシングとして、図２の０５丸形補強材で、簡単に変形しない構造とすることが特徴である。図２の０４冷温水室、下部貯水室において、上下を厚く、上部壁を左右に薄くすることで、自然循環により足に快適な熱が伝わることを特徴とする。図２の０５丸形補強材は、体重と水圧を支え、丸形に多数の穴を形成し、最低の面積で補強することを特徴とする。また図２の０２断熱材と図２の０１ケーシング部の外周を厚くし、内側に図２の０３保温材を薄く張る構造を特徴とする。最上部に図１の１１保温カバーに図１の１０糸を設け、熱損失量を減らす目的である。ゴム、図１の１０ゴム・糸で簡単に閉じる物であれば良い、などによって構成される。
２例目二足の靴を一足、中側の靴を小さくし外側の靴を大きく造り、外側を前後左右に２枚に割り、両側に図２の０５補強材を取り付け、中側の靴に左右にはり付けることで、図２の０４水温水室ができることとなる。中側を薄く外側を厚く、ＥＶＡ発泡樹脂系に靴全体を造ることで外側熱損失を少なくする。０９断熱材カバー最上部に、１０ゴム・糸、１１保温カバーを設ける、足元ぽかり。
「２例目の特徴、簡単で価格が安くできる」
【発明の効果】
【００７】本発明は、冬期間のストーブの蒸発皿やヤカンの熱を有効利用して足元を温めることで、室内の温度を通常より下げることができ、光熱費が節約できる。
足元ぽかりにおいて、熱損失試験の結果、室内温度１５℃において、６０℃のお湯を注湯し、４時間使用後３０℃前後で有効的な結果が出た。足元は第２の心臓とも言われる。足元を温めることで血液の循環が良くなり、疲労回復となることで仕事量倍増、災害用品予備品、地球温暖化防止及び省エネに資するウォームビズ・クールビズなど役立つものである。（上記試験は試作品での結果です）
【図面の簡単な説明】
【図１】足元ぽかりの断面図である
【図２】足元ぽかりの一部左断面図である
【符号の説明】
０１．冷温水ケーシング  ０２．断熱材    ０３．保温材    ０４．冷温水室
０５．丸形補強材        ０６．水通穴    ０７．靴底      ０８．注水口
０９．断熱カバー        １０．ゴム・糸  １１．保温カバー
【図１】
2007268230.tif 000003
【図２】
2007268230.tif 000004
(57)【要約】【課題】  風により物干し竿にかけたハンガーが移動しないようにした、ハンガー吊り下げ器具を提供する。【解決手段】  波状の軸（１）に複数のフック（２）を取り付けたことを特徴とするハンガー吊り下げ器具。【選択図】図１
2007268225.tif 000002
【特許請求の範囲】
【請求項１】
波状の軸（１）に複数のフック（２）を取り付けたことを特徴とするハンガー吊り下げ器具。
【発明の詳細な説明】
【技術分野】
【０００１】  この発明は、波状の軸に複数個のフックを取り付けたハンガー吊り下げ器具に関するものである。
【背景技術】
【０００２】  従来、ハンガーを物干し竿にかけると、ハンガーを等間隔に固定するのが困難であった。
【発明の開示】
【発明が解決しようとする課題】
【０００３】  これは、次のような欠点があった。
ハンガーを物干し竿にかけると、風によりハンガーが簡単に移動してしまい、ハンガー同士が密着し洗濯物が乾きにくい状況が生じた。
本発明は、以上のような欠点をなくすためになされたものである。
【課題を解決するための手段】
【０００４】  波状の軸（１）に複数のフック（２）を取り付けた。
本発明は、以上の構成よりなるハンガーを吊り下げる器具である。
【発明の効果】
【０００５】  ハンガーを波状の軸にかけるので、必要に応じてハンガー同士の間隔を自由に設けることができる。
ハンガーを波状の軸にかけるので、風などの作用によりハンガーが移動することを防ぎ、洗濯物が効率よく乾くのを可能にする。
【発明を実施するための最良の形態】
【０００６】  以下、本発明を実施するための最良の形態について説明する。
波状の軸（１）に、そのサイズ、材質による強度に応じて必要数のフック（２）を取り付ける。
または、波状の軸（１）と、そのサイズ、材質による強度に応じた必要数のフック（２）を一体成型する。
【図面の簡単な説明】
【０００７】
【図１】  本発明の斜視図
【図２】  本発明の使用状態を示す斜視図
【符号の説明】
【００８】  １  波状軸
２  フック
３  物干し竿
４  ハンガー
【図１】
2007268225.tif 000003
【図２】
2007268225.tif 000004